(57)【要約】 【課題】簡易な構造で、植物の種類、生育時期などにより植物の設置場所を容易に移動することができ、植物の養分吸収効率も高め、低設置コストで広い設置場所も必要とせず、ランニングコストも低廉な水耕栽培を備える水生生物の養殖システムを提供する。【解決手段】上記課題を解決するために、水生生物を養殖する水槽を備える養殖部と、前記水槽の水を浄化部に送水する送水部と、前記送水部から送水された被処理水を貯留しつつ曝気処理する浄化槽を備える浄化部と、前記浄化部で曝気処理された水を前記水槽に戻すとともに上面に穴が穿設された還路パイプを備えた水耕栽培部と、からなり、前記還路パイプの穴に植物栽培用のポットを嵌め植物を水耕栽培するとともに、養殖用の水を浄化処理して循環再利用することを特徴とする水耕栽培を備える水生生物の養殖システムの構成とした。【選択図】図２
2014042492.tif 000002
【特許請求の範囲】
【請求項１】
水生生物を養殖する水槽を備える養殖部と、前記水槽の水を浄化部に送水する送水部と、前記送水部から送水された被処理水を貯留しつつ曝気処理する浄化槽を備える浄化部と、前記浄化部で曝気処理された水を前記水槽に戻すとともに上面に穴が穿設された還路パイプを備えた水耕栽培部と、からなり、
前記還路パイプの穴に植物栽培用のポットを嵌め植物を水耕栽培するとともに、養殖用の水を浄化処理して循環再利用することを特徴とする水耕栽培を備える水生生物の養殖システム。
【請求項２】
前記還路パイプが、前記水槽の上部に折返され複数列配置されたことを特徴とする請求項１に記載の水耕栽培を備える水生生物の養殖システム。
【請求項３】
前記水槽底部に擂り鉢状に窪ませた取水部を設けるとともに前記取水部底部に穴を設け、前記取水部底部の穴に前記送水部の端部を連結したことを特徴とする請求項１又は請求項２に記載の水耕栽培を備える水生生物の養殖システム。
【請求項４】
前記取水部の穴と送水部の端部の連結を、前記取水部の穴に送水部の末端の送水パイプのフランジを係止し、前記フランジをボルト及びナットで前記水槽底部に固定し、前記送水パイプの取水口に、目皿を設置したことを特徴とする請求項３に記載の水耕栽培を備える水生生物の養殖システム。
【請求項５】
前記浄化部が、被処理水の流れの上流から下流に向け階段状に水位が低くなる複数のタンクと、隣接するタンクを連結する連結管と、からなり、
前記連結管の上流側がタンクの底部汚泥層の上に位置して、被処理水が次の浄化槽へ自然落下で移送されることを特徴とする請求項１〜請求項４のいずれか１項に記載の水耕栽培を備える水生生物の養殖システム。
【請求項６】
前記還路パイプが、透明であることを特徴とする請求項１〜請求項５のいずれか１項に記載の水耕栽培を備える水生生物の養殖システム。
【請求項７】
前記浄化槽に、小袋に詰めた赤玉土及び御影石を沈めたことを特徴とする請求項１〜請求項６のいずれか１項に記載の水耕栽培を備える水生生物の養殖システム。
【請求項８】
前記水生生物が、魚であることを特徴とする請求項１〜請求項７のいずれか１項に記載の水耕栽培を備える魚の養殖システム。
【請求項９】
前記魚が、チョウザメであることを特徴とする請求項８に記載の水耕栽培を備える魚の養殖システム。
【請求項１０】
請求項９に記載の水耕栽培を備える魚の養殖システムにおいて、水系にサカマキガイを生息させることを特徴とする水耕栽培を備える魚の養殖方法。
【請求項１１】
請求項１〜請求項７のいずれか１項に記載の水耕栽培を備える水生生物の養殖システム、
請求項８又は請求項９に記載の水耕栽培を備える魚の養殖システム、
或いは請求項１０に記載の水耕栽培を備える魚の養殖方法において、
植物の種類、又は／及び植物の生育時期に応じて、前記植物栽培用のポットを嵌める穴の位置を変更することを特徴とする水耕栽培方法。
【発明の詳細な説明】
【技術分野】
【０００１】
本発明は、魚等の水生生物を陸上の水槽で養殖するとともに、植物の水耕栽培を利用して水槽の水の浄化を補助する、水耕栽培を備える水生生物の養殖システムに関する。
【背景技術】
【０００２】
水耕栽培と、魚の養殖に利用した水を水耕栽培に利用し、水を循環再利用する技術は知られている。例えば、特許文献１等に公開されている。特許文献１の発明は、養魚に供した水とそれに含まれる有機物等を主な栄養源として成立する生物濾過床自身を栽培床とし、もしくは生物濾過床に栽培床を設備し、養魚に供した水に含まれる有機物等を肥料として栽培することを特徴とした水耕栽培の方法というものである。
【０００３】
しかしながら、特許文献１は、水槽に栽培床８及び植物をドブ浸けするもので、植物を移動させることが困難な上、植物の養分吸収率は高くない。また、植物栽培用水槽の施工が煩雑な上、コストも高く、養魚水槽とは別に植物栽培用水槽を設置する広いスペースも必要とする。
【先行技術文献】
【特許文献】
【０００４】
【特許文献１】特開平０２−２２２６２４号公報
【発明の概要】
【発明が解決しようとする課題】
【０００５】
そこで、本発明は、簡易な構造で、植物の種類、生育時期などにより植物の設置場所を容易に移動することができ、植物の養分吸収効率も高め、低設置コストで広い設置場所も必要とせず、ランニングコストも低廉な水耕栽培を備える水生生物の養殖システムを提供することを目的とするものである。
【課題を解決するための手段】
【０００６】
本発明は、上記の課題を解決するために、
（１）
水生生物を養殖する水槽を備える養殖部と、前記水槽の水を浄化部に送水する送水部と、前記送水部から送水された被処理水を貯留しつつ曝気処理する浄化槽を備える浄化部と、前記浄化部で曝気処理された水を前記水槽に戻すとともに上面に穴が穿設された還路パイプを備えた水耕栽培部と、からなり、
前記還路パイプの穴に植物栽培用のポットを嵌め植物を水耕栽培するとともに、養殖用の水を浄化処理して循環再利用することを特徴とする水耕栽培を備える水生生物の養殖システム。
（２）
前記還路パイプが、前記水槽の上部に折返され複数列配置されたことを特徴とする（１）に記載の水耕栽培を備える水生生物の養殖システム。
（３）
前記水槽底部に擂り鉢状に窪ませた取水部を設けるとともに前記取水部底部に穴を設け、前記取水部底部の穴に前記送水部の端部を連結したことを特徴とする（１）又は（２）に記載の水耕栽培を備える水生生物の養殖システム。
（４）
前記取水部の穴と送水部の端部の連結を、前記取水部の穴に送水部の末端の送水パイプのフランジを係止し、前記フランジをボルト及びナットで前記水槽底部に固定し、前記送水パイプの取水口に、目皿を設置したことを特徴とする（３）に記載の水耕栽培を備える水生生物の養殖システム。
（５）
前記浄化部が、被処理水の流れの上流から下流に向け階段状に水位が低くなる複数のタンクと、隣接するタンクを連結する連結管と、からなり、
前記連結管の上流側がタンクの底部汚泥層の上に位置して、被処理水が次のタンクへ自然落下で移送されることを特徴とする（１）〜（４）のいずれかに記載の水耕栽培を備える水生生物の養殖システム。
（６）
前記還路パイプが、透明であることを特徴とする（１）〜（５）のいずれかに記載の水耕栽培を備える水生生物の養殖システム。
（７）
前記浄化槽に、小袋に詰めた赤玉土及び御影石を沈めたことを特徴とする（１）〜（６）のいずれかに記載の水耕栽培を備える水生生物の養殖システム。
（８）
前記水生生物が、魚であることを特徴とする（１）〜（７）のいずれかに記載の水耕栽培を備える魚の養殖システム。
（９）
前記魚が、チョウザメであることを特徴とする（８）に記載の水耕栽培を備える魚の養殖システム。
（１０）
（９）に記載の水耕栽培を備える魚の養殖システムにおいて、水系にサカマキガイを生息させることを特徴とする水耕栽培を備える魚の養殖方法。
（１１）
（１）〜（７）のいずれかに記載の水耕栽培を備える水生生物の養殖システム、
（８）又は（９）に記載の水耕栽培を備える魚の養殖システム、
或いは（１０）に記載の水耕栽培を備える魚の養殖方法において、
植物の種類、又は／及び植物の生育時期に応じて、前記植物栽培用のポットを嵌める穴の位置を変更することを特徴とする水耕栽培方法。の構成とした。
【発明の効果】
【０００７】
本発明は、上記構成であるので、簡易な構造で、植物の種類、生育時期などにより植物の設置場所を容易に移動することができ、植物の養分吸収効率も高め、低設置コストで広い設置場所も必要とせず、ランニングコストも低廉な水耕栽培を備える水生生物の養殖システムを提供することができる。
【０００８】
また、植物を日当たり、窒素源濃度に応じ、例えば、植物の種類、生育時期に応じて生育場所となる還路パイプの穴を選択し、好適な栽培状況、高い水の浄化効果を得ることができる水耕栽培方法を提供することができる。
【図面の簡単な説明】
【０００９】
【図１】本発明である水耕栽培を備える水生生物の養殖システムの一例である。
【図２】図１Ａ−Ａ線、即ち（Ａ）が浄化部、（Ｂ）が水槽及び水耕栽培の断面模式図である。
【図３】取水部の縦断面模式図（図２波線円Ａ部）である。
【図４】第一水槽の拡大断面模式図である。
【図５】水耕栽培部を構成する還路パイプの部分平面部模式図である。
【図６】（Ａ）還路パイプの縦断面模式図、（Ｂ）水耕栽培の様子を示す縦断面模式図である。
【発明を実施するための形態】
【００１０】
以下、本願発明について、図面を参照しながら詳細に説明する。なお、本発明は実施例に限定されるものではない。
【実施例１】
【００１１】
ここで、水生生物とは、淡水性の魚、貝など、水中に生息する生物である。本発明である水耕栽培を備える水生生物の養殖システム１は、図１、２に示すように、建屋２と、養殖部３と、送水部４と、浄化部５と、水耕栽培部６と、からなる。
【００１２】
建屋２は、入出口、通気用の開口等を備え、養殖部３を覆うように設置され、養殖する水生生物の種類に応じて設ける。鳥から水生生物を保護するとともに、直射日光の照射量を調節する。例えば、ビニールハウスの上部に、網目状の遮光ネット（採光量調節ネット）で覆うなどすればよい。完全に遮光してしまうと、当然植物は育たない。
【００１３】
養殖部３は、ここでは、底部に取水部３ｉを設けた大きさの異なる３区画の第一水槽３ａ、第二水槽３ｂ、第三水槽３ｃと、必要に応じて各水槽内部に敷かれ水槽の縁に留め具３ｆで固定されたビニルシート３ｅと、水槽上部に渡された渡棒６ｉと、渡棒６ｉに固定した足場６ｋを備える。ビニルシート３ｅ上に養殖用の水３ｄが溜められ、その水で魚３ｇなどの水生生物を飼育、養殖する。
【００１４】
各水槽は、コンクリート製などが採用でき、底部には水槽の大きさに応じて適当数の鉢状に窪ませた取水部３ｉを設ける。ビニルシート３ｅは、水生生物が水槽に擦れて、傷付くのを防ぐ。足場６ｋは、水耕栽培部６での作業を容易にするために設けてある。水槽には、水生生物に応じて、水３ｄに酸素、空気を供給するエアレーション６ｍラインが設けられる。
【００１５】
送水部４は、水槽の水を浄化部５に送水する装置であって、水槽底部の取水部３ｉに連結する土９ａに埋まった送水パイプ４ａと、送水パイプ４ａから送られた水を受ける桝４ｂと、桝４ｂ内の水を浄化部５に送水するポンプ４ｃと、ポンプ４ｃによって送水された水を流す往路パイプ４ｅとからなる。送水パイプ４ａは、組み立てやすいように、フランジ４ｈを含む水槽側端部を分割し、嵌着するようにするとよい。
【００１６】
次に、図３を参照して、取水部３ｉの穴３ｋと送水部４の連結を説明する。取水部３ｉの底の穴３ｋに送水部４の末端の送水パイプ４ａのフランジ４ｈを係止し、その上に穴３ｋに相当する穴を設けたビニルシート３ｅを載せ、さらに押さえ４ｎでビニルシート３ｅを挟み、押さえ４ｎと共にフランジ４ｈをボルト４ｋ及びナット４ｍで水槽底部に固定する。これにより、ビニルシート３ｅは、フランジ４ｈと押さえ４ｎの間に挟持される。取水部３ｉの大きさは直径５０−１００ｃｍ程度あるとよい。
【００１７】
そして、送水パイプ４ａの取水口４ｇに、目皿４ｉを設置する。目皿４ｉは、網目状のプレートで、食べ残しの餌、糞を通すが、水生生物を通さない目開きのものを用いる。目皿４ｉは、ネジで取水口４ｇの送水パイプ４ａに固定してもよいし、螺着してもよい。
【００１８】
フランジ４ｈの周囲に、段差が生じた場合には、水生生物の餌の食べ残し、糞が溜まらないように、コーティング剤４ｐでコーティングするとよい。コーティングすることで、また、水槽の水３ｄの漏洩が防止できる。
【００１９】
図２に示すように、水槽と桝４ｂとは送水パイプ４ａで連結されているため、ポンプ４ｃで桝４ｂ内の水を浄化部５に送水することで、桝４ｂの水位４ｄが低下する。すると水槽の水位３ｈは桝４ｂの水位４ｄと同じ高さになるように、自然と水槽の水３ｄは桝４ｂ内に流れ込む（点線矢印）。即ち、原理的には、ポンプ４ｃで送水した量の水が水槽に戻されることとなる。
【００２０】
桝４ｂ内の水位４ｄは、水槽の水位３ｈと同じになるので、そのときの桝４ｂの水位に応じて、飛散、蒸散、排水した水量に相当する水を水系に補給すればよい。桝４ｂ内の水位４ｄは、エアレーションなどの攪乱要因がないので、他の場所の水位より安定している。したがって、桝４ｂ内の水位を感知するセンサーを設け、桝４ｂ内の水位４ｄに応じて水の循環系に、自動かつ安定的に給水することができる。
【００２１】
このように、水槽底部の擂り鉢状の取水部３ｉと、桝４ｂを設けることで、さらに水生生物が魚であれば、魚が水槽底部を泳ぐことで、餌の食べ残し、糞を取水口４ｇ集め、送水パイプ４ａ、送水部４を経由して浄化部５に送られることとなる。その結果、食べ残し、糞に起因する水槽内の水３ｄを廃棄しての水槽内の清掃回数を減らすことができ、さらには必要としなくなる。
【００２２】
浄化部５は、ここでは、送水部４と接続する第一浄化槽５ａ、連結管５ｓをそれぞれ介して第一浄化槽５ａに続く、第二浄化槽５ｂ、第三浄化槽５ｃ、さらに養殖部３に浄化水を戻す還路パイプ６ｅ（水耕栽培部６）に接続する第四浄化槽５ｄを、２列並列に備えてなる。図１上段の浄化部５は第一水槽３ａに、図１下段の浄化部５は、第二、第三水槽３ｂ、３ｃに、浄化水を戻す。
【００２３】
そして、浄化部５の複数の浄化槽は、被処理水５ｗの流れの上流から下流に向け階段状に水位５ｕが低くなり、次の浄化槽へ自然落下で移送されるよう、地面９から高さの異なる台５ｇに載置され、多段式の滝のように構成される。勿論、台５ｇを用いることなく、地面９を階段状に造成して、台５ｇを用いたように水位５ｕに段差を設けてタンク５ｅを設置してもよい。
【００２４】
図２、図４に示すように、第一浄化槽５ａは、送水部４から送水された被処理水５ｗを貯留しつつ曝気５ｉするタンク５ｅと、タンク５ｅの口部５ｘに係止され底部にフィルタ５ｑを備える穴５ｐが穿設された容器５ｎと、穴５ｏが穿設されタンク５ｅの口部５ｘに螺着する蓋５ｆと、タンク５ｅ底部にネットなどに小分けして詰められた微生物の菌床となる赤玉土５ｋと御影石５ｍと、第二浄化槽５ｂに連通する側に配置されたフィルタ５ｒと、第二浄化槽５ｂに被処理水５ｗを流す連結管５ｓと、からなる。
【００２５】
さらに、浄化部５には、浄化部５の各タンク５ｅの側面底部には、タンク５ｅ内の排水、タンク５ｅ底部に溜まった汚泥５ａａを個別に排出することができる配管５ｙ及びその開閉を制御するバルブ５ｚが設けられ、配管５ｙはそれぞれ連結し、一箇所に汚泥を収集することができるようにしてある。
【００２６】
図４に示すように、蓋５ｆの穴５ｏに往路パイプ４ｅが挿通し、被処理水５ｗをポンプ４ｃによって、第一浄化槽５ａに連続送水する。容器５ｎを設けることで、フィルタ５ｒの洗浄回収を減らし、メンテナンス作業が用になるとともに、フィルタ５ｑの洗浄を容易にする。また、容器５ｎ側面に穴５ｐを設けることで、藻などが急速に増殖しフィルタ５ｑが目詰まりしたときでも、タンク５ｅ外に、被処理水５ｗが漏出することを防ぐことができる。フィルタ５ｒは第一浄化槽５ａにだけ設置すれば十分である。
【００２７】
曝気５ｉは、コンプレッサ５ｈからチューブ５ｊを介してタンク５ｅ内に空気を導入する。好気的条件で微生物による有機物の分解を促進させ、アンモニアを亜硝酸イオン、硝酸イオンへと硝化させ、植物に窒素源として吸収させやすくさせる。曝気５ｉは、他の水槽にも同様に導入される。
【００２８】
赤玉土５ｋは、一般に関東ローム層の赤土を乾燥後、ふるいで粒の大きさごとに選別して作られ、園芸に用いられる。赤玉土５ｋは、微生物の菌床、濾過材である。ここでは、鉾田産を使用した。鉾田産は硬質で知られ、試験では、つぶれることなく、長期間粒の形状を保持した。
【００２９】
御影石５ｍは、花崗岩のことであり、微生物の菌床、濾過材であるとともに、ミネラル供給減でもある。ここでは、笠間市稲田産の御影石の砂利を使用した。このように、赤玉土５ｋ、御影石５ｍともに地産品を使用することで、地域振興に資する。赤玉土５ｋ、御影石５ｍは、他の水槽にも同様に投入される。ネットなどに小分けして、使用することで、定期的なタンク５ｅ内清掃において、それらも洗浄するときに、扱いやすい。
【００３０】
連結管５ｓは、図２、４に示すように、上流側がタンク５ｅ底部汚泥層の上の側面に連結し、上に起立し、第二浄化槽５ｂ内に挿通し、被処理水５ｗを水位５ｕ差により、第二浄化槽５ｂに流す。連結管５ｓの上方は開口し、左右が開口し断面Ｔ字状の空気抜き５ｔが上部に嵌る。連結管５ｓの直上を開口しないことで、タンク５ｅ間の縁を切り、真上からの有害物質の被処理水５ｗへの混入を防止する。有害物質として、田畑に散布される農薬などが例示される。
【００３１】
第二浄化槽５ｂは、図２に示すように、第一浄化槽５ａから送水された被処理水５ｗを貯留しつつ曝気５ｉするタンク５ｅと、タンク５ｅの口部５ｘに螺着する蓋５ｆ（穴５ｏなし）と、タンク５ｅ底部にネットなどに小分けして詰められた微生物の菌床となる赤玉土５ｋと御影石５ｍと、第三浄化槽５ｃに被処理水５ｗを流す連結管５ｓと、からなる。第三、第四浄化槽５ｃ、５ｄの構成は、第二浄化槽５ｂと同じである。ただし、第四浄化槽５ｄは、還路パイプ６ｅに接続する。浄化部５は、養殖部３の水３ｄの容積の１／３程度とすることが望ましいため、複数のタンク５ｅを用いた。
【００３２】
このような浄化槽を備えことで、内部に赤虫、淡水性の貝などの水生小動物が自生、飼育することができ、自然環境が構築され、一層有機物の分解が促進されるとともに、浄化槽内に生息する水生小動物が、自然落下による被処理水５ｗの流れで移送されることで、還路パイプ６ｅを通り、水槽に流れていき、養殖魚のエサにもなり得る。
【００３３】
水生小動物の自生は、チョウザメの養殖に最適である。貝としては、サカマキガイが例示できる。当該養殖システムでは、チョウザメは貝を餌にし、排泄し、浄化部５で貝が排泄物を有機体窒素に分解し、増殖する食物サイクルが形成される。また、過剰に増殖したサカマキガイは、採取して、鶏の餌などに使用できる。
【００３４】
水耕栽培部６は、図１、２に示すように、還路パイプ６ｅは、第四浄化槽５ｄの側面に連絡し、水位５ｕ差によって流れ出した曝気処理された水を養殖部３の水槽に端部から放水６ｈして戻す。次に、図５を参照して、還路パイプ６ｅの敷設方法を説明する。
【００３５】
還路パイプ６ｅは、上面に穴６ｆが穿設された直長パイプ６ａ、直短パイプ６ｂ、９０°に屈曲したエルボーパイプ６ｄ、水の流れを分ける分岐パイプ６ｃを連結して、水槽上部に配置し、水耕栽培部６となす。長さの異なるパイプ、各パイプの連結の組み合わせ工夫することで、水槽の大きさ等に応じて、種々の形状の敷設を可能にする。還路パイプ６ｅの穴６ｆに水耕栽培用のポット７を嵌めて水耕栽培をする。
【００３６】
還路パイプ６ｅを水槽の上部に折返し複数列配置（蛇行）することで、水耕栽培部６の設置場所を水槽と別に確保する必要がなく、コンパクトな水耕栽培を可能にする。また、パイプ上部に穴６ｆを穿設して水耕栽培部６とすることで、施工費を低く抑え、かつ施工期間を短くすることができるとともに、配置変更、拡縮も容易になる。
【００３７】
さらに還路パイプ６ｅを透明な塩化ビニル管などを用いれば、水の汚れを容易に目視することができる。加えて、水槽の上部に還路パイプ６ｅを設置すれば、還路パイプ６ｅの穴６ｆから水が溢れても、水槽に落ちるだけであるので、養殖水の減少の心配はない。
【００３８】
還路パイプ６ｅは、水平に敷設しても水位５ｕに応じて自然に曝気処理水を水槽まで移送することができるが、後述のように、還路パイプ６ｅは植物栽培用のポット７が嵌められるため、還路パイプ６ｅの端部に向けやや傾斜させて敷設するとよい。
【００３９】
次に、水耕栽培用のポット７を穴６ｆに嵌めて水耕栽培をする状況について図６を参照して詳しく説明する。図６は、還路パイプ６ｅの縦断面図模式図である。
【００４０】
還路パイプ６ｅは、図６（Ａ）に示すように、上面に穴６ｆが穿設され、内部に処理水６ｇが流れる。図６（Ｂ）に示すように、還路パイプ６ｅの穴６ｆに植物栽培用のポット７を嵌め植物８を水耕栽培する。
【００４１】
ポット７は、培養土７ｂが内部に詰められ、側面及び底面には貫通孔７ａが穿設されている。培養土７ｂとしては、バーミキュライトとが好適である。貫通孔７ａから植物８の根８ａが還路パイプ６ｅ内張りだし、養分を吸収する。還路パイプ６ｅ内では、曝気処理水６ｇの流れが形成され、根８ａと次々と接触するため、水の流れの少ない栽培床である水槽での水耕栽培に比べ、植物８の水槽へのドブ漬けに比べ、水耕栽培部６での植物８の窒素源の吸収率は極めて高い。
【００４２】
また、図６（Ｂ）に示すように、還路パイプ６ｅに穴を穿設し、ポット７を嵌める方式の水耕栽培部６とすることで、植物の種類、又は／及び植物の生育時期に応じて、植物栽培用のポット７を挿入する穴６ｆの位置を容易に変更することができ、栽培植物に適した窒素濃度、日当たりを容易に調節することができる。還路パイプ６ｅ上流では、窒素源濃度が高く、植物８の根８ａと接触を繰り返した下流部では窒素源濃度が低い。窒素源濃度差を利用して、水耕栽培植物を選択することもできる。
【００４３】
他方、図１の第一水槽３ａに示すように、建屋２の外に還路パイプ６ｅを敷設することで、一層日当たりのより環境で水耕栽培することもできる。
【００４４】
なお、当該水耕栽培では、一般に水耕栽培に使用できる野菜類が栽培可能であるが、特に、ハーブ類、クレソン、セリ、バジル、ミント、シソなどが良く育つ。またレタス類の生育も良好であった。還路パイプ６ｅ内の流水の上流側の窒素源濃度が高く、内部に空洞が形成される野菜の栽培に適している。例えば、シシトウ、ピーマン、タカノツメなどである。
【００４５】
これにより、養殖用の水から硝化された窒素源を根８ａから吸収し、水の浄化を補助する。そうすることで、養殖用の水３ｄを循環再利用することができ、水３ｄの節水、さらに、清掃、水の入れ換え作業を軽減することができる。
【００４６】
具体的には、２．５×１５×０．５≒１９（ｍ３）の水槽（第一水槽３ａ）に、チョウザメ約５００匹（１歳魚）を飼育した本年７月中旬からの１月の養殖試験では、水槽の水３ｄの交換は１度も行わなかったが、チョウザメは１匹も死亡しなかった。本発明導入前における単純曝気浄水処理においては、夏場では月３回の水の交換が必要であったことからすると、本発明の節水効果、水の入れ換え作業の軽減効果は極めて大きい。
【００４７】
なお、水耕栽培を備える水生生物の養殖システムにおいて、給水、排水経路は省略したが、どのブロックから給水、排水してもよい。給水は、水槽に井戸水を給水することが経済的かつ簡易である。排水は、各ブロックから可能にすることが清掃の観点から望ましい。また、各ライン（パイプ）等には、バルブが設けられ、水の流量を調節することができる。
【符号の説明】
【００４８】
１      水耕栽培を備える水生生物の養殖システム
２      建屋
３      養殖部
３ａ    第一水槽
３ｂ    第二水槽
３ｃ    第三水槽
３ｄ    水
３ｅ    ビニルシート
３ｆ    留め具
３ｇ    魚
３ｈ    水位
３ｉ    取水部
３ｋ    穴
４      送水部
４ａ    送水パイプ
４ｂ    桝
４ｃ    ポンプ
４ｄ    水位
４ｅ    往路パイプ
４ｇ    取水口
４ｈ    フランジ
４ｉ    目皿
４ｋ    ボルト
４ｍ    ナット
４ｎ    押さえ
４ｐ    コーティング剤    
５      浄化部
５ａ    第一浄化槽
５ｂ    第二浄化槽
５ｃ    第三浄化槽
５ｄ    第四浄化槽
５ｅ    タンク
５ｆ    蓋
５ｇ    台
５ｈ    コンプレッサ
５ｉ    曝気
５ｊ    チューブ
５ｋ    赤玉土
５ｍ    御影石
５ｎ    容器
５ｏ    穴
５ｐ    穴
５ｑ    フィルタ
５ｒ    フィルタ
５ｓ    連結管
５ｔ    空気抜き
５ｕ    水位
５ｗ    被処理水
５ｘ    口部
５ｙ    配管
５ｚ    バルブ
５ａａ  汚泥
６      水耕栽培部
６ａ    直長パイプ
６ｂ    直短パイプ
６ｃ    分岐パイプ
６ｄ    エルボーパイプ
６ｅ    還路パイプ
６ｆ    穴
６ｇ    処理水
６ｈ    放水
６ｉ    渡棒
６ｋ    足場
６ｍ    エアレーション
７      ポット
７ａ    貫通孔
７ｂ    培養土
８      植物
８ａ    根    
９      地面
９ａ    土
【図１】
2014042492.tif 000003
【図２】
2014042492.tif 000004
【図３】
2014042492.tif 000005
【図４】
2014042492.tif 000006
【図５】
2014042492.tif 000007
【図６】
2014042492.tif 000008